【手続補正書】
【提出日】平成21年12月17日(2009.12.17)
【手続補正１】
【補正対象書類名】特許請求の範囲
【補正対象項目名】全文
【補正方法】変更
【補正の内容】
【特許請求の範囲】
【請求項１】
表示用第１基板と、前記表示用第１基板に対向して配置された表示用第２基板と、を備
えた表示装置であって、
前記表示用第１基板に、該表示用第１基板の外部から入力された電源電位から所定の電
源電位を生成する電源回路と、前記電源回路に接続されたコンデンサと、前記表示用第２
基板との電気的接続を行なう対向導通部と、を形成し、
前記コンデンサと前記対向導通部とは、積層方向に互いに重畳する領域を有して形成さ
れたことを特徴とする表示装置。
【請求項２】
前記対向導通部には一定周期で電位が反転する反転信号が印加されてなり、
前記コンデンサの両極の電位は前記反転信号と同一の周期と位相で反転されてなること
を特徴とする請求項１に記載の表示装置。
【請求項３】
前記対向導通部には一定周期で電位が反転する反転信号が印加されてなり、
前記コンデンサを構成する複数の電極のうち、最も前記対向導通部に近い電極にはＤＣ
電位が印加されてなることを特徴とする請求項１に記載の表示装置。
【請求項４】
前記電源回路は、第１インバーター回路と、ｐ型の第１トランジスタと、ｎ型の第１ト
ランジスタと、を含み、
前記コンデンサの一端は、前記第１インバーター回路の出力に接続され、前記コンデン
サの他端は、前記ｐ型の第１トランジスタおよび前記ｎ型の第１トランジスタのドレイン
電極に接続されてなることを特徴とする請求項１に記載の表示装置。
【請求項５】
前記表示用第１基板は、走査線駆動回路を備え、
前記電源回路は、
第１インバーター回路と、第２インバーター回路と、前記第２インバーター回路の出力
に接続される第３インバーター回路と、第１ｐ型スイッチングトランジスタと、第２ｐ型
スイッチングトランジスタと、第１ｎ型スイッチングトランジスタと、第２ｎ型スイッチ
ングトランジスタと、を含み、前記第１インバーター回路および前記第２インバーター回
路には、ポンピングパルス信号が入力され、前記第１ｐ型スイッチングトランジスタおよ
び前記第２ｐ型スイッチングトランジスタのソース電極は、前記第１ｎ型スイッチングト
ランジスタおよび前記第２ｎ型スイッチングトランジスタのソース電極は、第１バイパス
コンデンサの一端および前記走査線駆動回路に接続され、前記走査線駆動回路に負電源電
圧を出力し、
前記コンデンサは、
第１フライングキャパシタを含み、前記第１フライングコンデンサの一端は、前記第１
インバーター回路の出力に接続され、前記第１フライングキャパシタの他端は、前記第１
ｐ型スイッチングトランジスタおよび前記第１ｎ型スイッチングトランジスタのドレイン
電極と、前記第２ｐ型スイッチントグランジスタおよび前記第２ｎ型スイッチントグラン
ジスタのゲート電極に接続されることを特徴とする請求項４に記載の表示装置。
【請求項６】
一端が、前記第３インバーター回路の出力に接続され、他端が、前記第１ｐ型スイッチ
ングトランジスタおよび前記第１ｎ型スイッチングトランジスタのゲート電極と、前記第
２ｐ型スイッチントグランジスタおよび前記第２ｎ型スイッチントグランジスタのドレイ
ン電極に接続される第２フライングキャパシタをさらに含むことを特徴とする請求項５に
記載の表示装置。
【請求項７】
前記電源回路は、
第４インバーター回路と、第５インバーター回路と、前記第５インバーター回路の出力
に接続される第６インバーター回路と、第３ｐ型スイッチングトランジスタと、第４ｐ型
スイッチングトランジスタと、第３ｎ型スイッチングトランジスタと、第４ｎ型スイッチ
ングトランジスタと、を含み、前記第４インバーター回路および前記第６インバーター回
路には、ポンピングパルス信号が入力され、前記第３ｐ型スイッチングトランジスタおよ
び前記第４ｐ型スイッチングトランジスタのソース電極は、前記第３ｎ型スイッチングト
ランジスタおよび前記第３ｎ型スイッチングトランジスタのソース電極は、第２バイパス
コンデンサの一端および前記走査線駆動回路に接続され、前記走査線駆動回路に正電源電
圧を出力し、
前記コンデンサは、
第３フライングキャパシタを含み、前記第３フライングキャパシタの一端は、前記第４
インバーター回路の出力に接続され、前記第２フライングキャパシタの他端は、前記第３
ｐ型スイッチングトランジスタおよび前記第３ｎ型スイッチングトランジスタのドレイン
電極と、前記第４ｐ型スイッチントグランジスタおよび前記第４ｎ型スイッチントグラン
ジスタのゲート電極に接続されることを特徴とする請求項６に記載の表示装置。
【請求項８】
一端が、前記第６インバーター回路の出力に接続され、他端が、前記第３ｐ型スイッチ
ングトランジスタおよび前記第３ｎ型スイッチングトランジスタのゲート電極と、前記第
４ｐ型スイッチントグランジスタおよび前記第４ｎ型スイッチントグランジスタのドレイ
ン電極に接続される第４フライングキャパシタをさらに含むことを特徴とする請求項７に
記載の表示装置。
【請求項９】
請求項１乃至請求項８のいずれか一項に記載の表示装置を用いたことを特徴とする電子
機器。
【手続補正２】
【補正対象書類名】明細書
【補正対象項目名】００１２
【補正方法】変更
【補正の内容】
【００１２】
対向導通部と重ねたコンデンサをバイパスコンデンサとして使用するような場合、対向
導通部をＡＣ駆動する場合にはバイパスコンデンサにノイズがのってしまうが、最も前記
対向導通部に近い電極をＤＣ電位に固定してやればシールドとして機能するのでこのよう
な影響を軽減できる。
さらに本発明のある様態の表示装置は、前記電源回路は、第１インバーター回路と、ｐ
型の第１トランジスタと、ｎ型の第１トランジスタと、を含み、前記コンデンサの一端は
、前記第１インバーター回路の出力に接続され、前記コンデンサの他端は、前記ｐ型の第
１トランジスタおよび前記ｎ型の第１トランジスタのドレイン電極に接続されてなること
を特徴とする。
さらに本発明のある様態の表示装置は、前記表示用第１基板は、走査線駆動回路を備え
、前記電源回路は、第１インバーター回路と、第２インバーター回路と、前記第２インバ
ーター回路の出力に接続される第３インバーター回路と、第１ｐ型スイッチングトランジ
スタと、第２ｐ型スイッチングトランジスタと、第１ｎ型スイッチングトランジスタと、
第２ｎ型スイッチングトランジスタと、を含み、前記第１インバーター回路および前記第
２インバーター回路には、ポンピングパルス信号が入力され、前記第１ｐ型スイッチング
トランジスタおよび前記第２ｐ型スイッチングトランジスタのソース電極は、前記第１ｎ
型スイッチングトランジスタおよび前記第２ｎ型スイッチングトランジスタのソース電極
は、第１バイパスコンデンサの一端および前記走査線駆動回路に接続され、前記走査線駆
動回路に負電源電圧を出力し、前記コンデンサは、第１フライングキャパシタを含み、前
記第１フライングコンデンサの一端は、前記第１インバーター回路の出力に接続され、前
記第１フライングキャパシタの他端は、前記第１ｐ型スイッチングトランジスタおよび前
記第１ｎ型スイッチングトランジスタのドレイン電極と、前記第２ｐ型スイッチントグラ
ンジスタおよび前記第２ｎ型スイッチントグランジスタのゲート電極に接続されることを
特徴とする。
さらに本発明のある様態の表示装置は、一端が、前記第３インバーター回路の出力に接
続され、他端が、前記第１ｐ型スイッチングトランジスタおよび前記第１ｎ型スイッチン
グトランジスタのゲート電極と、前記第２ｐ型スイッチントグランジスタおよび前記第２
ｎ型スイッチントグランジスタのドレイン電極に接続される第２フライングキャパシタを
さらに含むことを特徴とする。
さらに本発明のある様態の表示装置は、前記電源回路は、第４インバーター回路と、第
５インバーター回路と、前記第５インバーター回路の出力に接続される第６インバーター
回路と、第３ｐ型スイッチングトランジスタと、第４ｐ型スイッチングトランジスタと、
第３ｎ型スイッチングトランジスタと、第４ｎ型スイッチングトランジスタと、を含み、
前記第４インバーター回路および前記第６インバーター回路には、ポンピングパルス信号
が入力され、前記第３ｐ型スイッチングトランジスタおよび前記第４ｐ型スイッチングト
ランジスタのソース電極は、前記第３ｎ型スイッチングトランジスタおよび前記第３ｎ型
スイッチングトランジスタのソース電極は、第２バイパスコンデンサの一端および前記走
査線駆動回路に接続され、前記走査線駆動回路に正電源電圧を出力し、前記コンデンサは
、第３フライングキャパシタを含み、前記第３フライングキャパシタの一端は、前記第４
インバーター回路の出力に接続され、前記第２フライングキャパシタの他端は、前記第３
ｐ型スイッチングトランジスタおよび前記第３ｎ型スイッチングトランジスタのドレイン
電極と、前記第４ｐ型スイッチントグランジスタおよび前記第４ｎ型スイッチントグラン
ジスタのゲート電極に接続されることを特徴とする。
さらに本発明のある様態の表示装置は、一端が、前記第６インバーター回路の出力に接
続され、他端が、前記第３ｐ型スイッチングトランジスタおよび前記第３ｎ型スイッチン
グトランジスタのゲート電極と、前記第４ｐ型スイッチントグランジスタおよび前記第４
ｎ型スイッチントグランジスタのドレイン電極に接続される第４フライングキャパシタを
さらに含むことを特徴とする。